(57)【要約】【課題】保温性および保湿性を高めた二重靴下を提供する。【解決手段】この二重靴下１００は、着用者の爪先を覆う爪先部１２０と、爪先部１２０から連続して形成され着用者の足甲および足裏を覆うフット部１４０と、フット部１４０から連続して形成され着用者の踵および脚を覆うボディ部１６０と、ボディ部１６０から連続して形成され着用者が足を挿入する開口部１８０とを備え、開口部１８０で連続する略筒形状の編地から形成された内筒体および外筒体を開口部１８０で折り返して形成され、内筒体は絹主体の編成糸で外筒体は綿主体の編成糸で編成されている。【選択図】図４
2015165054.tif 000002
【特許請求の範囲】
【請求項１】
開口部で連続する略筒形状の編地から形成された内筒体および外筒体を前記開口部で折り返した二重靴下であって、
前記内筒体の形状は、前記外筒体の一部と同じ形状で構成されたことを特徴とする二重靴下。
【請求項２】
着用時に肌に当接する内筒体の編成糸が絹を主体とする繊維であって、
外筒体の編成糸が綿を主体とする繊維であることを特徴とする請求項１に記載の二重靴下。
【発明の詳細な説明】
【技術分野】
【０００１】
本発明は、編地で構成された靴下に関し、特に、保温性に加えて保湿性を向上させた二重の編地で編成した二重靴下に関する。
【背景技術】
【０００２】
従来から、防寒用、スポーツ用、作業用等として、かなり厚手の靴下が普及している。このような靴下として、開口部（足先を挿入する開口であって口ゴムを備えるものも備えないものもある）で連なる筒形編地から内筒体と外筒体とを形成し、重なり合う両筒体を爪先部で縫合一体化した二重靴下がある。
特開２０１０−１３８５３２号公報（特許文献１）は、このような二重靴下の一例として、脚を挿入すると暖かい空気が長時間保温され、かつ、暖かい空気が逃げることのない二重靴下を開示する。
【０００３】
この特許文献１に開示された二重靴下は、爪先部と足挿入部と脚挿入部とからなる内側靴下体と、爪先部と足挿入部と足挿入部とからなる外側靴下体とを、前記内側靴下体の脚挿入部と前記外側靴下体の脚挿入部とを接続糸を介して接続せしめる靴下編地体において、前記内側靴下体と前記外側靴下体の夫々の爪先部と足挿入部と脚挿入部の夫々の内側面にパイルを施して靴下編地体を編成し、前記内側靴下体と前記外側靴下体とを重ね合わせて前記内側靴下体の爪先部と前記外側靴下体の爪先部とを縫合し形成することを特徴とする。
【０００４】
この二重靴下によると、脚を挿入すると暖かい空気が長時間保温され、かつ、暖かい空気が逃げることのない利点を有している。さらに、この二重靴下を履くと、履いたら直ちに冷たい外気を遮断し脚全体を暖める即効性を発揮する利点を有している。
【先行技術文献】
【特許文献】
【０００５】
【特許文献１】特開２０１０−１３８５３２号公報
【発明の概要】
【発明が解決しようとする課題】
【０００６】
上述した特許文献１に開示された二重靴下は、内面パイルが内筒体の脚部には編成されていないために保温性が十分でないという問題点を解決するために発明されている（特許文献１の第０００３段落）。そのために、特許文献１に開示された二重靴下は、内側靴下体は、靴下用編糸を介して爪先部と足挿入部と脚挿入部の夫々の内側面にパイルを施し形成しているとともに、外側靴下体の脚挿入部と足挿入部と爪先部の夫々の内側面にも、内側靴下体の内側面と同様にパイルを施し形成している。このように、内側靴下体の内側面にも外側靴下体の内側面にも、靴下用編糸を介して同じ繊維素材のパイルを施している。
【０００７】
しかしながら、特許文献１には、外側面を編成する編糸についてはウール混素材との記載があるものの（特許文献１の第００４１段落）、内側面のパイルを編成する編糸の素材については靴下用編糸としか記載されていない（特許文献１の第００３１段落）。編糸（繊維素材）の熱的特性は、その種類により大きく異なり、特許文献１に開示された二重靴下では、十分な保温性を実現しているとは考えにくく、十分に保温することができない可能性がある。
【０００８】
ところで、貧血症、低血圧、低体温などの人、または、冷え症の人、糖尿病を患っている人は季節や外気温に関係なく、常に足先などが冷たく感じることから、冬期は勿論のこと、夏期においても靴下を脱ぐことができず、一年中着用して冷えを防いでいる。そのような人が履く靴下としては、特許文献１に開示されたような保温性の高い総パイル地の全体が二重の靴下が好ましいものの、このような二重靴下は（１）分厚くなりすぎて特に外出する際に好ましくなく、（２）繊維素材の熱的特性を考慮していないため十分に保温することができない可能性があり、（３）繊維素材の保湿特性を考慮していないため特に冬季の乾燥時期における踵部分の保湿性も好ましくない可能性がある、という問題がある。
【０００９】
本発明は、上述した問題点に鑑みて開発されたものであり、その目的とするところは、
極端に分厚くなく、繊維素材の熱的特性および保湿特性を十分に活かして、保温性および保湿性の極めて高い二重靴下を提供することである。
【課題を解決するための手段】
【００１０】
上記目的を達成するため、本発明に係る二重靴下は以下の技術的手段を講じている。
すなわち、本発明に係る二重靴下は、開口部で連続する略筒形状の編地から形成された内筒体および外筒体を前記開口部で折り返した二重靴下であって、前記内筒体の形状は、前記外筒体の一部と同じ形状で構成されたことを特徴とする。
好ましくは、着用時に肌に当接する内筒体の編成糸が絹を主体とする繊維であって、外筒体の編成糸が綿を主体とする繊維で構成することができる。
【発明の効果】
【００１１】
本発明の二重靴下によれば、繊維素材の熱的特性および保湿特性を十分に活かして、極端に分厚くなく、保温性および保湿性の極めて高い二重靴下を提供することができる。
【図面の簡単な説明】
【００１２】
【図１】本発明の実施の形態に係る二重靴下の着用状態を示す斜視図である。
【図２】図１の二重靴下の概略側面図（表側：外側）である。
【図３】図１の二重靴下の概略側面図（裏側：肌側）である。
【図４】図１の二重靴下の断面図（裏側：肌側）である。
【発明を実施するための形態】
【００１３】
以下、本発明の実施の形態に係る二重靴下を、図面に基づき詳しく説明する。ここで、二重靴下の構造には様々なものがあり、本発明は特定の構造に限定されるものではなく、後述する特徴（内筒体の編成糸が絹を主体とする繊維であって外筒体の編成糸が綿を主体とする繊維）を備えたものであれば、どのような二重靴下の構造であっても、構成する編地の編み組織および編み糸がどのようなものであっても構わない。そのため、以下に示す二重靴下の構造自体は単なる例示でしかない。なお、本発明は、ルームソックスやルームシューズと呼ばれる室内履きの靴下（ソックス）に好ましく適用されるが、特に好ましい。また、以下に示す二重靴下は左右共用であるために、左右を履き間違いすることがない点で好ましい。
【００１４】
さらに、以下に示す二重靴下は、開口部（足先を挿入する開口であって口ゴムを備えるものも備えないものもあるが以下においては口ゴム部と記載する場合がある）で連続する略筒形状の編地から形成された内筒体および外筒体を口ゴム部で折り返した二重靴下であって、この二重靴下を形成する内筒体の形状は二重靴下を形成する外筒体の一部と同じ形状（すなわち一部が二重構造）で構成されているものとするが、内筒体の形状は外筒体の全部と同じ形状（すなわち全体が二重構造）で構成されていても構わない。内筒体の形状を外筒体の一部と同じ形状（すなわち全体ではなく一部が二重構造）で構成することにより、極端に分厚くない二重靴下を提供することができる。
【００１５】
図１は本実施の形態に係る二重靴下１００の着用状態を示す斜視図であって、図２は二重靴下１００の表側（外側）の概略側面図であって、図３は二重靴下１００の裏側（肌側）の概略側面図であって、図４は二重靴下１００の裏側（肌側）の断面図である。なお、図２〜図４は、着用前の二重靴下１００を平面状に折り畳んで平面に載置した図であって、着用時を想定した図ではない。また、図２〜図４には編み組織および／または編み糸が違う部分には異なるハッチングを施しているが、図４の断面図における二重部分については二重であることがわかりやすいように二重部分にはハッチングを施していない。
【００１６】
これらの図１〜図４において、この二重靴下１００は、着用者の爪先を覆う爪先部１２０と、爪先部１２０から連続して形成され着用者の足甲および足裏を覆うフット部（足甲部および足裏部）１４０と、フット部１４０から連続して形成され着用者の踵および脚を覆うボディ部（踵部および脚部）１６０と、ボディ部１６０から連続して形成され着用者が足を挿入する開口部（穿き口、口ゴム部）１８０とを備えた、通常の靴下と同じ外観を備えている。たとえば、開口部１８０は他の部位よりも伸縮性に優れたゴム編み等で編成することができる。
【００１７】
特徴的であるのは、この二重靴下１００は、開口部１８０で連続する略筒形状の編地か
ら形成された内筒体および外筒体を開口部１８０で折り返して形成されている点である。そして、外筒体は、図２にその外観が示される爪先編地１２０Ｆ（表裏面共通）、フット編地１４０Ｆ（表裏面共通）、ボディ表面編地１６０Ｆ、開口表面編地１８０Ｆで構成された（爪先側が閉じた）筒状物であって、内筒体は、図３にその外観の一部が示されるボディ裏面編地１６０Ｂ、開口裏面下側編地１８０Ｄ（この部分の編み組織および編み糸はボディ裏面編地１６０Ｂと同じ）、開口裏面上側編地１８０Ｕ（この部分の開口端側は開口裏面上端編地１８０Ｂであって開口表面編地１８０Ｆと同じ編み組織および編み糸で、開口裏面上端編地１８０Ｂの下側は開口裏面下端編地１８０Ｃで編成）で構成された筒状物である。なお、詳しくは後述するがボディ裏面編地１６０Ｂおよび開口裏面下側編地１８０Ｄは同じ編み組織かつ同じ編み糸で編成され、開口裏面上側編地１８０Ｕは異なる編み組織かつ編み糸（開口裏面上側編地１８０Ｕの開口裏面上端編地１８０Ｂは開口表面編地１８０Ｆと同じ編み組織かつ編み糸、開口裏面上側編地１８０Ｕの開口裏面下端編地１８０Ｃは開口表面編地１８０Ｆと同じ編み糸）で編成されている。
【００１８】
そして、内筒体における開口裏面下側編地１８０Ｄはボディ裏面編地１６０Ｂと同じ編み組織かつ同じ編み糸で編成され、これら以外の部分はこれらの部分とは異なる編み糸で編成されている。すなわち、裏側の第１の編み組織変更ライン（メーキャップライン）１５０から第３の編み組織変更ライン１９０までの間が同じ編み組織かつ同じ編み糸（後述するように絹主体）で編成され、これら以外の部分はこれらの部分とは異なる編み糸（後述するように綿主体）で編成されている。
【００１９】
さらに特徴的であるのは、この二重靴下１００は、外筒体の編成糸が綿を主体とする繊維であって、内筒体（より詳しくは第１の編み組織変更ライン１５０から第３の編み組織変更ライン１９０までの間の裏側の編み組織）の編成糸が絹を主体とする繊維である点である。
このような構造上の特徴を備えた二重靴下１００は、たとえば、以下のように編成される。なお、本発明の二重靴下が以下のような編成方法に限定されるものではない。
【００２０】
第１の編み組織変更ライン１５０から第２の編み組織変更ライン１７０を超えて第３の編み組織変更ライン１９０までの間を絹を主体とする編成糸を用いて、内筒体（着用時に肌側）のボディ裏面編地１６０Ｂおよび開口裏面下側編地１８０Ｄを一様な編み組織で編成する。
次に、第３の編み組織変更ライン１９０からは、綿を主体とする編成糸に切り換えて（以降は全て綿を主体とする編成糸で編成）、伸縮性を備えた編み組織になるように開口裏面上側編地１８０Ｕを編成し、続いて折り返したときに表面となる開口表面編地１８０Ｆを、伸縮性を備えた編み組織になるように第２の編み組織変更ライン１７０まで編成する。この場合において、開口部１８０における裏面（開口裏面下側編地１８０Ｄ、開口裏面上側編地１８０Ｕ）と表面（開口表面編地１８０Ｆ）とで同じように伸縮性を持たせているが、開口部１８０における裏面の編み組織と表面の編み組織とは同じでなく、裏面の途中の開口裏面上端編地１８０Ｂを表面と同じ編み組織としている。
【００２１】
次に、第２の編み組織変更ライン１７０から第１の編み組織変更ライン１５０までは、綿を主体とする編成糸でボディ表面編地１６０Ｆを編成する。この部分までが二重部分となる。
次に、第１の編み組織変更ライン１５０から、綿を主体とする編成糸でフット編地１４０Ｆ（表裏面共通）を編成し、続いて綿を主体とする編成糸で爪先編地１２０Ｆ（表裏面共通）を編成し、爪先編地１２０Ｆを閉じるように編成する。
【００２２】
このように編成された二重靴下１００は、二重部分の空間（表面が綿主体で裏面が絹主体）に空気層を形成することができ、保温性に優れる。さらに、着用すると絹主体の編成糸で編成されたボディ裏面編地１６０Ｂおよび開口裏面下側編地１８０Ｄが肌に当接する。このとき、踵はこのボディ裏面編地１６０Ｂに当接している。絹主体の編成糸で編成された編地は、保温性に加えて保湿性が極めて良好となる。その結果、この二重靴下１００は、繊維素材（絹・綿）の熱的特性および保湿特性を十分に活かして、極端に分厚くなくても、保温性および保湿性が極めて高いものとなる。
【００２３】
以上のようにして、本実施の形態に係る二重靴下によると、繊維素材の熱的特性および保湿特性を十分に活かして、極端に分厚くなく、保温性および保湿性の極めて高い二重靴下を提供することができる
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２４】
本発明は、足先を挿入する開口部で連続する略筒形状の編地から形成された内筒体および外筒体を開口部で折り返した二重靴下に好適であり、繊維素材の熱的特性および保湿特性を十分に活かして極端に分厚くなくても保温性および保湿性を極めて高くできる点で特に好ましい。
【符号の説明】
【００２５】
１００  二重靴下
１２０  爪先部
１４０  フット部（足甲部および足裏部）
１６０  ボディ部（踵部および脚部）
１８０  開口部（穿き口、口ゴム部）
【図１】
2015165054.tif 000003
【図２】
2015165054.tif 000004
【図３】
2015165054.tif 000005
【図４】
2015165054.tif 000006